(57)【要約】【課題】プレテンション方式においてコンクリート部材にプレストレスを導入する場合に、生産性を低下させず余長部の歩留りを悪化させない。【解決手段】  ＰＣ鋼材どうしを接続する接続具１０は、余長部である第１のＰＣ鋼材３０が接続される第１の接続部１００と、製造部である第２のＰＣ鋼材２０が接続される第２の接続部２００と、ＰＣ鋼材の軸方向に沿った一端が第１の接続部１００に接続され、ＰＣ鋼材の軸方向に沿った他端が第２の接続部２００に接続され、第１の接続部１００から第２の接続部２００までの軸方向に沿った長さを調整する調整部３００とを含む。調整部３００は、中空ＰＣ鋼棒３４０とこの中空ＰＣ鋼棒３４０に挿入される長さを変更することにより軸方向の長さが変更される中実ＰＣ鋼棒３３０とを含む。【選択図】図２
2020176374.tif 000002
【特許請求の範囲】
【請求項１】
プレテンション方式においてコンクリート部材にプレストレスを導入する第１のＰＣ鋼材と第２のＰＣ鋼材とを接続する接続具であって、
前記接続具は、
前記第１のＰＣ鋼材が接続される第１の接続部と、
前記第２のＰＣ鋼材が接続される第２の接続部と、
前記ＰＣ鋼材の軸方向に沿った一端が前記第１の接続部に接続され、前記ＰＣ鋼材の軸方向に沿った他端が前記第２の接続部に接続され、前記第１の接続部から前記第２の接続部までの前記軸方向に沿った長さを調整する調整部とを含む、接続具。
【請求項２】
前記調整部は、
前記軸方向がそれ自体の他の方向よりも長い外装部材と、
前記軸方向がそれ自体の他の方向よりも長く、前記外装部材に覆われるように設けられ、前記外装部材により覆われる長さを変更することにより前記軸方向の長さが変更される内挿部材と、
前記外装部材に覆われた前記内挿部材を固定する固定部とを含む、請求項１に記載の接続具。
【請求項３】
前記調整部は、
前記軸方向がそれ自体の他の方向よりも長い外装部材と、
前記軸方向がそれ自体の他の方向よりも長く、前記外装部材に挿入され、前記外装部材へ挿入される長さを変更することにより前記軸方向の長さが変更される内挿部材と、
前記外装部材に挿入された前記内挿部材を固定する固定部とを含む、請求項１に記載の接続具。
【請求項４】
前記固定部は、
前記外装部材側と前記内挿部材側とが螺合することにより固定される、
または、
前記外装部材側と前記内挿部材側とがくさび作用により固定される、請求項２または請求項３に記載の接続具。
【請求項５】
前記外装部材は、前記内挿部材側の端部の内周に雌ネジを備えた中空ＰＣ鋼材であって、
前記内挿部材は、少なくとも前記外装部材側の外周に雄ネジを備えたＰＣ鋼材であって、
前記固定部は、前記外装部材の雌ネジと前記内挿部材の雄ネジとが螺合することにより固定される、請求項３に記載の接続具。
【請求項６】
前記外装部材は、前記内挿部材側の端部の外周に雄ネジを備えた中空ＰＣ鋼材であって、
前記内挿部材は、少なくとも前記外装部材側の外周に雄ネジを備えたＰＣ鋼材であって、
前記固定部は、
前記中空ＰＣ鋼材の外周の雄ネジに螺合する雌ネジを内周に備えた中空円筒形状の外リングと、
前記ＰＣ鋼材の外周の雄ネジに螺合する雌ネジをその内周に前記軸方向に貫通するように備えた中実円筒形状の内リングとを含み、
前記内リングの外周に前記外リングの内周の雌ネジに螺合する雄ネジを備え、
前記外リングと前記内リングとは、前記外リングの内周の雌ネジと前記内リングの外周の雄ネジとが螺合して一体化され、
前記固定部は、前記内リングの内周の雌ネジと前記ＰＣ鋼材の外周の雄ネジとが螺合することにより固定される、請求項３に記載の接続具。
【発明の詳細な説明】
【技術分野】
【０００１】
本発明は、土木建築分野におけるコンクリート製の梁、桁またはその他の建築部材等において好適に使用されるプレストレストコンクリート部材にプレテンション方式によりプレストレスを導入する場合に使用されるＰＣ鋼材どうしを接続する接続具に関し、特に、コンクリート部材の生産性を低下させることがなく、かつ、余長部の歩留りを悪化させることがない、接続具に関する。
【０００２】
なお、本発明において、ＰＣ鋼材（ＰＣ用鋼材と記載する場合がある）には、ＰＣ鋼線、ＰＣ鋼棒およびＰＣ鋼より線を含み、それらの異形タイプも含む。また、以下において、楔体、楔、くさび、クサビ、ウェッジと記載する場合があるが、これらは同じ構造を備える。
【背景技術】
【０００３】
近年、建物のプレキャスト化が進み、駐車場・商業ビル・共同住宅や体育館・学校校舎等の主要構造部材（柱・梁）をプレキャスト化することが多くなってきている。
これらの主要構造部材をコンクリート製でプレキャスト化する場合に、コンクリート部材（ＰＣ部材と記載する場合がある）に圧縮力を導入するようになり、一般に、コンクリート部材にＰＣ鋼材により圧縮力を導入する方式として、（Ａ）ポストテンション方式と、（Ｂ）プレテンション方式が知られている。
【０００４】
（Ａ）のポストテンション方式の場合は、コンクリート部材製造後に、コンクリート部材のシース内にＰＣ鋼材を挿通配置するとともにコンクリート部材の端部に定着具を配置し、ＰＣ鋼材を緊張定着して、コンクリート部材に圧縮力を導入する方式であり、この方式の場合は、現場でのＰＣ鋼材の配線作業、緊張作業、シースとＰＣ鋼材との間の空間へのグラウト作業を必要とし、これらが高度な技術的専門性を要するため、プレストレストコンクリート部材を高価にしている原因になっている。
【０００５】
（Ｂ）のプレテンション方式では、ＰＣ鋼材を直接コンクリートに埋め込んで定着させるため、（Ａ）のポストテンション方式では必要とされるグラウトは不要で、かつ、（Ａ）のポストテンション方式のようなコンクリート部材内に定着具が不要であり、現場での緊張およびグラウト作業の必要がないので、このプレテンション方式によるプレストレストコンクリート部材は、安価であるという利点を有している。
【０００６】
この（Ｂ）のプレテンション方式によってＰＣ部材（コンクリート部材）を製造する場合には、緊張ジャッキを備えた緊張側アバットと、緊張力に抗する反力受け側アバットとを所定の間隔を置いて対向配置させ、その間にＰＣ部材製造用の型枠を設置し、型枠の側壁を貫通させたＰＣ用鋼材の両端部を緊張側アバット（の緊張ジャッキ）と反力受け側アバットに固定する。型枠内にフレッシュなコンクリートを打設する前に、ジャッキにてＰＣ用鋼材に緊張力を導入しておき、コンクリートを打設し、その硬化を待って緊張力を解放することにより、コンクリート内に所定のプレストレスが導入される。この場合において、ＰＣ用鋼材（緊張材）の両端部は、緊張側アバット（ジャッキ）と反力受け側アバットの双方に固定されており、ＰＣ部材から双方のアバットまでの長さ分の緊張材、すなわち、最終的に除去される緊張材のロス量は多くなってしまうという問題が、プレテンション方式によるＰＣ部材製造時に必然的に発生している。
【０００７】
このような問題点に鑑みて、特開２００７−２１６５０３号公報（特許文献１）は、ＰＣ部材を製造する際の作業効率を向上させることができ、かつ、ＰＣ部材製造時に生じ得るＰＣ用鋼材のロスを低減することのできる接続具を開示する。この特許文献１に開示された接続具は、２本のＰＣ用鋼材を接続する接続具であって、前記接続具は、一方のＰＣ用鋼材が挿入される第１の開口と、該第１の開口に連通する中空部と、他方のＰＣ用鋼材が挿入される第２の開口と、該第２の開口に連通する凹溝と、を備えた本体部材と、前記中空部に設けられた付勢部材と、該付勢部材に取付けられた有孔係止具と、を具備しており、前記一方のＰＣ用鋼材は、該有孔係止具の孔に押圧嵌合可能となっており、前記他方のＰＣ用鋼材は前記凹溝に取付け可能となっていることを特徴とする。さらに、前記中空部の一部は、前記第１の開口に向けて縮径するテーパー部を具備しており、前記有孔係止具は、該テーパー部に嵌合可能な楔体からなり、前記凹溝の内壁面には、前記他方のＰＣ用鋼材の端部と螺合可能なねじ切りが形成されていることを特徴とする。
【先行技術文献】
【特許文献】
【０００８】
【特許文献１】特開２００７−２１６５０３号公報
【発明の概要】
【発明が解決しようとする課題】
【０００９】
上述した特許文献１に開示された接続具によると、任意仕様の２本のＰＣ用鋼材を容易に接続することができ、また、接続部の十分な強度を確保することができる。そして、プレテンション方式によってプレストレスが導入される第１のＰＣ用鋼材を備えたＰＣ部材を製造するＰＣ部材の製造装置において、緊張側アバットと、緊張力導入時の反力を受ける反力受け側アバットと、からなるアバットユニットと、双方のアバットに固定された所定本数の第２のＰＣ用鋼材と、第２のＰＣ用鋼材の一端が接続されるこの接続具と、を少なくとも具備して、第２のＰＣ用鋼材の一端はこの接続具の凹溝に取付け、反力受け側アバットの接続具と、この接続具に対応する緊張側アバットのこの接続具の双方の有孔係止具の孔に、第１のＰＣ用鋼材の両端部がそれぞれ嵌合され、第１のＰＣ用鋼材がアバットユニット間に張設されるように構成する。この接続具を用いたＰＣ部材の製造装置によれば、緊張側アバットと反力受け側アバットとの双方に第２のＰＣ用鋼材を介して接続具を取付け、ＰＣ部材に内設される第１のＰＣ用鋼材の両端部を対向する接続具に取付けることにより、ＰＣ用鋼材（第１のＰＣ用鋼材）のロス量を格段に低減することができる。
【００１０】
すなわち、特許文献１に開示された技術は、ＰＣ用鋼材の無駄を少なくするため、製造するコンクリート部材に関わる部分（製造部）のＰＣ鋼材（特許文献１における第１のＰＣ用鋼材）と、製造するコンクリート部材に関わらない部分（余長部）のＰＣ鋼材（特許文献１における第２のＰＣ用鋼材）とを別体のＰＣ鋼材として、余長部のＰＣ鋼材は繰り返して使用する。このため特許文献１に開示された接続具を用いて、余長部のＰＣ鋼材と製造部のＰＣ鋼材とを接続して、このように接続されたＰＣ鋼材によりコンクリート部材に圧縮力が導入される。
【００１１】
しかしながら、アバットユニット間の長さ（緊張側アバットと反力受け側の固定側アバットとの間の長さ）が固定であること、製造されるコンクリート部材の長さはその仕様で変わることに起因して、たとえば長さが長いコンクリート部材を製造した後に同じ余長部を用いて長さが短いコンクリート部材を製造する場合には、製造部のＰＣ鋼材が無駄に長くなる。この無駄は、繰り返し使用される余長部の長さを長くすることにより回避できる。ところが、この余長部の長さの変更は、くさび作用により固着されているウェッジタイプの接続具を、ＰＣ鋼材から一旦取り外して位置を余長部が長くなるようにずらして再度くさび作用によりＰＣ鋼材に固着するという取り替え作業が必要になる。この取り替え作業があるとコンクリート部材の製造効率（生産性）が低下するという問題点に加えて、以下のような問題点も生じる。すなわち、このような取り替え作業においてＰＣ鋼材と接続具との脱着を繰り返すことによりＰＣ鋼材の表面にウェッジによる圧痕が深くなっていき断面欠損が大きくなるためにＰＣ鋼材の破断またはウェッジからのスリップを確実に回避することを理由として、圧痕部を早期に切り落としている。このため、余長部のＰＣ鋼材が短くなると、余長部を新規品に交換する必要が生じて歩留まりが悪化する。
【００１２】
本発明は、従来技術の上述の問題点に鑑みて開発されたものであり、その目的とするところは、プレテンション方式においてコンクリート部材にプレストレスを導入する場合の接続具であって、コンクリート部材の生産性を低下させることがなく、かつ、余長部の歩留りを悪化させることがない、接続具を提供することである。
【課題を解決するための手段】
【００１３】
上記目的を達成するため、本発明に係る接続具は、以下の技術的手段を講じている。
すなわち、本発明に係る接続部は、プレテンション方式においてコンクリート部材にプレストレスを導入する第１のＰＣ鋼材と第２のＰＣ鋼材とを接続する接続具であって、前記接続具は、前記第１のＰＣ鋼材が接続される第１の接続部と、前記第２のＰＣ鋼材が接続される第２の接続部と、前記ＰＣ鋼材の軸方向に沿った一端が前記第１の接続部に接続され、前記ＰＣ鋼材の軸方向に沿った他端が前記第２の接続部に接続され、前記第１の接続部から前記第２の接続部までの前記軸方向に沿った長さを調整する調整部とを含む。
【００１４】
好ましくは、前記調整部は、前記軸方向がそれ自体の他の方向よりも長い外装部材と、前記軸方向がそれ自体の他の方向よりも長く、前記外装部材に覆われるように設けられ、前記外装部材により覆われる長さを変更することにより前記軸方向の長さが変更される内挿部材と、前記外装部材に覆われた前記内挿部材を固定する固定部とを含むように構成することができる。
【００１５】
さらに好ましくは、前記調整部は、前記軸方向がそれ自体の他の方向よりも長い外装部材と、前記軸方向がそれ自体の他の方向よりも長く、前記外装部材に挿入され、前記外装部材へ挿入される長さを変更することにより前記軸方向の長さが変更される内挿部材と、前記外装部材に挿入された前記内挿部材を固定する固定部とを含むように構成することができる。
【００１６】
さらに好ましくは、前記固定部は、前記外装部材側と前記内挿部材側とが螺合することにより固定される、または、前記外装部材側と前記内挿部材側とがくさび作用により固定されるように構成することができる。
さらに好ましくは、前記外装部材は、前記内挿部材側の端部の内周に雌ネジを備えた中空ＰＣ鋼材であって、前記内挿部材は、少なくとも前記外装部材側の外周に雄ネジを備えたＰＣ鋼材であって、前記固定部は、前記外装部材の雌ネジと前記内挿部材の雄ネジとが螺合することにより固定されるように構成することができる。
【００１７】
さらに好ましくは、前記外装部材は、前記内挿部材側の端部の外周に雄ネジを備えた中空ＰＣ鋼材であって、前記内挿部材は、少なくとも前記外装部材側の外周に雄ネジを備えたＰＣ鋼材であって、前記固定部は、前記中空ＰＣ鋼材の外周の雄ネジに螺合する雌ネジを内周に備えた中空円筒形状の外リングと、前記ＰＣ鋼材の外周の雄ネジに螺合する雌ネジをその内周に前記軸方向に貫通するように備えた中実円筒形状の内リングとを含み、前記内リングの外周に前記外リングの内周の雌ネジに螺合する雄ネジを備え、前記外リングと前記内リングとは、前記外リングの内周の雌ネジと前記内リングの外周の雄ネジとが螺合して一体化され、前記固定部は、前記内リングの内周の雌ネジと前記ＰＣ鋼材の外周の雄ネジとが螺合することにより固定されるように構成することができる。
【発明の効果】
【００１８】
本発明に係る接続具によると、プレテンション方式においてコンクリート部材にプレストレスを導入する場合において、コンクリート部材の生産性を低下させることがなく、かつ、余長部の歩留りを悪化させることがない接続具を提供することができる。
【図面の簡単な説明】
【００１９】
【図１】本発明の実施の形態に係る接続具１０の使用態様を説明するための図であって、（Ａ）は全体図、（Ｂ）および（Ｃ）は部分図、（Ｄ）は他の使用態様の部分図である。
【図２】図１の接続具１０の構成を説明するための図であって、（Ａ）は外観図であって、（Ｂ）は図２（Ａ）の半断面図（上半分断面図）である。
【図３】図２（Ｂ）に対応する分解図であって、（Ａ）は第１の接続部１００の分解図であって、（Ｂ）は調整部３００の分解図であって、（Ｃ）は第２の接続部２００の分解図である。
【図４】図１〜図３の全ネジの中実ＰＣ鋼棒３３０の代わりに用いられる異形ＰＣ鋼棒３３３の外観図である。
【図５】本発明の実施の形態の第１の変形例に係る接続具１１を説明するための概略図である。
【図６】本発明の実施の形態の第２の変形例に係る接続具１３を説明するための図であって、（Ａ）は外観図であって、（Ｂ）は図６（Ａ）の半断面図（上半分断面図）であって、（Ｃ）は図６（Ｂ）に対応する調整部４００の分解図である。
【図７】本発明の実施の形態の第３の変形例に係る接続具１５を説明するための図であって、（Ａ）は外観図（その１）であって、（Ｂ）は外観図（その２）であって、（Ｃ）は接続ブロックの外観図であって、（Ｄ）は接続ブロックの断面図である。
【発明を実施するための形態】
【００２０】
以下において、本発明の実施の形態に係るＰＣ鋼材の接続具１０であって、プレテンション方式においてコンクリート部材にプレストレスを導入する第１のＰＣ鋼材３０（またはＰＣ鋼材４０）と第２のＰＣ鋼材２０とを接続する接続具１０を、図面に基づき詳しく説明する。この接続具１０は、プレストレストコンクリート部材のプレテンション方式においてアバットユニット間に設けられたＰＣ鋼材（緊張材）を用いてコンクリート部材にプレストレスを導入する際に、コンクリート部材の生産性を低下させることがなく、かつ、余長部の歩留りを悪化させることがないＰＣ鋼材（緊張材）どうしを接続する治具である。
【００２１】
まず、図１を参照して、プレストレストコンクリート製造工場内におけるプレテンション方式を用いたプレストレスト導入方法およびこの接続具１０の使用態様を説明する。
プレストレストコンクリートのプレテンション方式は、従来技術で説明したように、アバットユニット間に設けられてテンションが付与されたＰＣ鋼材を埋め込むようにその周囲にコンクリートを打設して、コンクリート部材内に埋め込み配置されるＰＣ鋼材とコンクリートとの付着を図る形態である。
【００２２】
図１（Ａ）に示すように、この接続具１０は、緊張側アバット５０と反力受け側の固定側アバット６０との間に張設されプレストレストコンクリート部材７０に圧縮力を導入するＰＣ鋼材２０と緊張側アバット５０側の余長部であるＰＣ鋼材３０（第１のＰＣ鋼材３０と記載する場合がある）とを接続したり、このＰＣ鋼材２０（第２のＰＣ鋼材２０と記載する場合がある）と固定側アバット６０側の余長部であるＰＣ鋼材４０（第１のＰＣ鋼材４０と記載する場合がある）とを接続したりする。なお、余長部のＰＣ鋼材３０およびＰＣ鋼材４０はそれぞれ緊張側アバット５０および固定側アバット６０においてグリップＧにより保持されている。なお、第１のＰＣ鋼材とは余長側のＰＣ鋼材であって、第２のＰＣ鋼材とは余長部以外のプレストレストコンクリート部材７０に圧縮力を導入するＰＣ鋼材である。
【００２３】
このようにＰＣ鋼材どうしを接続するこの接続具１０は、図１（Ｂ）に示すように、第１のＰＣ鋼材３０が接続される第１の接続部１００と、第２のＰＣ鋼材２０が接続される第２の接続部２００と、ＰＣ鋼材の軸方向に沿った一端が第１の接続部１００に接続され、ＰＣ鋼材の軸方向に沿った他端が第２の接続部２００に接続され、第１の接続部１００から第２の接続部２００までの軸方向に沿った長さを調整する調整部３００とを含む。ここで、図１（Ｃ）は、図１（Ｂ）における第１の接続部１００に第１のＰＣ鋼材３０ではなく第１のＰＣ鋼材４０が接続される点のみ異なる。また、図１（Ｄ）は、２つの調整部３００を備え、調整長さを大きくしたものである。なお、ＰＣ鋼材の軸方向を単に軸方向と記載する場合がある。
【００２４】
接続具１０の使用態様を説明するためのこの図１に加えて、接続具１０の構成を説明するための図２、接続具１０の構成を説明するための分解図である図３を参照して、さらに詳しくこの接続具１０について説明する。なお、図２（Ａ）はこの接続具１０の概略構成を説明するための外観図であって、図２（Ｂ）は図２（Ａ）の半断面図（上半分断面図）であって、図３は図２（Ｂ）に対応する分解図であって、図３（Ａ）は第１の接続部１００の分解図であって、図３（Ｂ）は調整部３００の分解図であって、図３（Ｃ）は第２の接続部２００の分解図である。図３は、スプリング、ウェッジ押さえおよびウェッジの正面図（軸方向に垂直な方向から見た図）を除いて、全て半断面図（上半分断面図、下半分外観図）である。
【００２５】
この接続具１０の大きな特徴は、調整部３００を備える点であって、第１の接続部１００において第１のＰＣ鋼材３０または第１のＰＣ鋼材４０を接続する構造、ならびに、第２の接続部２００において第２のＰＣ鋼材２０を接続する構造は、従来から公知のスリーブとクサビとで押圧嵌合されるプレテンション用のグリップである。このため、調整部３００以外の詳しいグリップについての説明は（特許文献１においても説明されているために）ここでは繰り返さない場合がある。
【００２６】
上述したように、第１の接続部１００および第２の接続部２００においてＰＣ鋼材を接続する構造は図２および図３に示すように公知のグリップである。
第１の接続部１００は、スリーブ１１０、ウェッジ（くさび）１４０、ウェッジ押さえ１２０およびスプリング１３０によりＰＣ鋼材を押圧嵌合する。このスリーブ１１０はウェッジ１４０のテーパー面１４４に対応する傾斜穴１１４を備え、ウェッジ１４０はたとえば３分割されているものが組み合わせられて穴３０Ｈまたは穴４０ＨにＰＣ鋼材３０またはＰＣ鋼材４０が挿入されて、傾斜穴１１４にテーパー面１４４が沿うようにスリーブ１１０にウェッジ１４０がウェッジ押さえ１２０およびスプリング１３０とともに挿入されて、第１のプラグ１５０の雄ネジ１５２とスリーブ１１０の雌ネジ１１２とを螺合させて第１の接続部１００にＰＣ鋼材３０またはＰＣ鋼材４０を押圧嵌合する。なお、第１のプラグ１５０の調整部３００側には後述する中実ＰＣ鋼棒３３０の雄ネジ３３６と螺合する雌ネジ１５６が設けられている。
【００２７】
第２の接続部２００は、スリーブ２１０がスリーブ１１０であって、ウェッジ２４０がウェッジ１４０であって、ウェッジ押さえ２２０がウェッジ押さえ１２０であって、スプリング２３０がスプリング１３０であって、それぞれ同じであって、これらによりＰＣ鋼材を押圧嵌合する。このスリーブ２１０はウェッジ２４０のテーパー面２４４に対応する傾斜穴２１４を備え、ウェッジ２４０はたとえば３分割されているものが組み合わせられて穴２０ＨにＰＣ鋼材２０が挿入されて、傾斜穴２１４にテーパー面２４４が沿うようにスリーブ２１０にウェッジ２４０がウェッジ押さえ２２０およびスプリング２３０とともに挿入されて、第１のプラグ１５０に代えて第２のプラグ２５０の雄ネジ２５２とスリーブ２１０の雌ネジ２１２とを螺合させて第２の接続部２００にＰＣ鋼材２０を押圧嵌合する。このように、第２の接続部２００においては、第１のプラグ１５０の代わりに第２のプラグ２５０を備える。なお、第２のプラグ２５０の調整部３００側には後述する中空ＰＣ鋼棒３４０の雄ネジ３４６と螺合する雌ネジ２５６が設けられている。
【００２８】
次に以下において、図１〜図３を参照して、この接続具１０の大きな特徴である調整部３００について詳しく説明する。
この調整部３００は、軸方向がそれ自体の他の方向よりも長い外装部材（ここでは中空ＰＣ鋼棒３４０）と、軸方向がそれ自体の他の方向よりも長く、外装部材に覆われるように設けられ、外装部材により覆われる長さを変更することにより軸方向の長さが変更される内挿部材（ここでは中実ＰＣ鋼棒３３０）と、外装部材に覆われた内挿部材を固定する固定部（ここでは第１の中間プラグ３１０および第２の中間プラグ３２０）とを含む。
【００２９】
また、この調整部３００は、軸方向がそれ自体の他の方向よりも長い外装部材（ここでは中空ＰＣ鋼棒３４０）と、軸方向がそれ自体の他の方向よりも長く、外装部材に挿入され、外装部材へ挿入される長さを変更することにより軸方向の長さが変更される内挿部材（ここでは中実ＰＣ鋼棒３３０）と、外装部材に挿入された内挿部材を固定する固定部（ここでは第１の中間プラグ３１０および第２の中間プラグ３２０）とを含むように、内挿部材を外装部材で覆う代わりに内挿部材を外装部材に挿入するように構成することができる。
【００３０】
このように、内挿部材を外装部材で覆う代わりに内挿部材を外装部材に挿入するように構成することに加えて、固定部は、外装部材（ここでは中空ＰＣ鋼棒３４０）側と内挿部材（ここでは中実ＰＣ鋼棒３３０）側とが螺合することにより固定されるように構成することができる。より詳しくは、第１の中間プラグ３１０の雌ネジ３１６に中実ＰＣ鋼棒３３０の雄ネジ３３６を螺合させて、第２の中間プラグ３２０の雌ネジ３２４に中空ＰＣ鋼棒３４０の雄ネジ３４４を螺合させて、第１の中間プラグ３１０の雄ネジ３１４と第２の中間プラグ３２０の雌ネジ３２４とを螺合させる。なお、このような螺合に代えて、外装部材側と内挿部材側とをくさび作用により固定されるようにしても構わない。
【００３１】
このように、内挿部材を外装部材で覆う代わりに内挿部材を外装部材に挿入するように構成する場合について、さらに詳しく説明する。
外装部材は、内挿部材側の端部の外周に雄ネジ３４４を備えた中空ＰＣ鋼棒３４０であって、内挿部材は、少なくとも外装部材側の外周に雄ネジ３３６を備えたＰＣ鋼材（ここでは中実ＰＣ鋼棒３３０）である。固定部は、中空ＰＣ鋼棒３４０の外周の雄ネジ３４４に螺合する雌ネジ３２４を内周に備えた中空円筒形状の外リングである第２の中間プラグ３２０と、中実ＰＣ鋼棒３３０の外周の雄ネジ３３６に螺合する雌ネジ３１６をその内周に軸方向に貫通するように備えた中実円筒形状の内リングである第１の中間プラグ３１０とを含む。なお、第１の中間プラグ３１０は、元々は中実円筒形状の部材であって、その軸方向に雌ネジ３１６を貫通させて設けている点では中空ともいえるが、元の部材の形状に基づいて中実円筒形状と記載している。そして、内リングである第１の中間プラグ３１０の外周には、外リングである第２の中間プラグ３２０の内周の雌ネジ３２４に螺合する雄ネジ３１４を備える。外リングである第２の中間プラグ３２０と内リングである第１の中間プラグ３１０とは、第２の中間プラグ３２０の内周の雌ネジ３２４と第１の中間プラグ３１０の外周の雄ネジ３１４とが螺合して一体化されるとともに、固定部においては、内リングである第１の中間プラグ３１０の内周の雌ネジ３１６と中実ＰＣ鋼棒３３０の外周の雄ネジ３３６とが螺合することにより固定される。
【００３２】
そして、調整部３００において、内挿部材としての中実ＰＣ鋼棒３３０を外装部材として中空ＰＣ鋼棒３４０への挿入長さを変更することにより、接続具１０における第１の接続部１００から第２の接続部２００までの軸方向に沿った長さを調整する。より具体的には、互いに螺合している、内リングである第１の中間プラグ３１０の内周の雌ネジ３１６と中実ＰＣ鋼棒３３０の外周の雄ネジ３３６との螺合状態を維持したままで、たとえば、図２の白抜き矢示の方向に中実ＰＣ鋼棒３３０が進行するように、中実ＰＣ鋼棒３３０を回転（自転）させる。基本的には右ねじであることが多いために、時計方向に中実ＰＣ鋼棒３３０を回転（自転）させることにより、図２の白抜き矢示の方向に中実ＰＣ鋼棒３３０が進行して、接続具１０における第１の接続部１００から第２の接続部２００までの軸方向に沿った長さが短くなり、反時計方向に中実ＰＣ鋼棒３３０を回転（自転）させることにより、図２の黒塗り矢示の方向に中実ＰＣ鋼棒３３０が進行して、接続具１０における第１の接続部１００から第２の接続部２００までの軸方向に沿った長さが長くなる。
【００３３】
この場合において（特に第１の接続部１００から第２の接続部２００までの軸方向に沿った長さが短くなる場合において）、第１の中間プラグ３１０の内周に設けられた雌ネジ３１６はその軸方向に貫通していて、かつ、中実ＰＣ鋼棒３３０の外径は中空ＰＣ鋼棒３４０の内径よりも小さいために、図２に示すように、中実ＰＣ鋼棒３３０は中空ＰＣ鋼棒３４０の中空の部分に挿入されて、接続具１０における第１の接続部１００から第２の接続部２００までの軸方向に沿った長さが調整される。
【００３４】
ここで、中実ＰＣ鋼棒３３０を回転（自転）させる場合において、中実ＰＣ鋼棒３３０の外周の雄ネジ３３６のピッチが小さいよりも大きい方が、自転させる回転数（１回転させる回数）を低くすることができ、接続具１０における第１の接続部１００から第２の接続部２００までの軸方向に沿った長さの調整が容易になる。このような中実ＰＣ鋼棒３３０の外周の雄ネジ３３６のピッチを大きくする方法の１つとして、中実ＰＣ鋼棒３３０の代わりに図４に示す異形ＰＣ鋼棒３３３を用いることが挙げられる。この異形ＰＣ鋼棒３３３はＪＩＳ  Ｇ３１０９に節３３９の高さとピッチとが規定されているＰＣ鋼材の一種であって、この節をネジ山として使用するものである。このような異形ＰＣ鋼棒３３３を採用する場合には、内リングである第１の中間プラグ３１０の内周の雌ネジ３１６をこの異形ＰＣ鋼棒３３３の節と螺合するように設ける必要があることはいうまでもない。
【００３５】
このように、この接続具１０においては、第１の接続部１００から第２の接続部２００までの軸方向に沿った長さを調整することができる。このため、アバットユニット間の長さ（緊張側アバットと反力受け側の固定側アバットとの間の長さ）が固定であること、および、製造されるコンクリート部材の長さはその仕様で変わっても、たとえば長さが長いコンクリート部材を製造した後に短いコンクリート部材を製造する場合であっても、この接続具１０により第１の接続部１００から第２の接続部２００までの軸方向に沿った長さを調整できるために（すなわち余長部の長さを調整できるために）、製造部のＰＣ鋼材２０が無駄に長くなることを回避することができる。さらに、この余長部の長さの変更は、くさび作用により固着されているウェッジタイプの接続具を、ＰＣ鋼材から一旦取り外して位置を余長部が長さを変更してずらして再度くさび作用によりＰＣ鋼材に固着するという取り替え作業が不要となりコンクリート部材の製造効率（生産性）が低下することを回避することができる。
【００３６】
なお、上述した接続具１０においては、プレテンション方式においてコンクリート部材にプレストレスを導入するＰＣ鋼材に求められる最大緊張荷重を含む全ての諸元（スペック）を満足している。
以上のようにして、本実施の形態に係る接続具によると、プレテンション方式においてコンクリート部材にプレストレスを導入する場合において、コンクリート部材の生産性を低下させることがなく、かつ、余長部の歩留りを悪化させることがない。
【００３７】
＜第１の変形例＞
以下において、本発明の実施の形態の第１の変形例に係る接続具１１について説明する。なお、本変形例に係る接続具１１は、上述した実施の形態に係る接続具１０における調整部の外装部材、内挿部材および固定部の形状が異なる。それ以外は（たとえば第１の接続部、第２の接続部、作用効果）第１の実施の形態と同じであるので、上述した説明と重複する部分についてはここでは繰り返さない場合がある。
図５（Ａ）にこの接続具１１の側面図（図１（Ａ）と同じ方向から見た図）を、図５（Ｂ）にこの接続具１１の外装部材である外装プレート３４および内挿部材である内挿プレート３３の平面図を、それぞれ示す。
【００３８】
この図５に示すように、接続具１１は接続具１０と同様に、ＰＣ鋼材どうしを接続する。この接続具１１は、図５（Ａ）および図５（Ｂ）に示すように、第１のＰＣ鋼材３０が接続される第１の接続部１０１と、第２のＰＣ鋼材２０が接続される第２の接続部２０１と、ＰＣ鋼材の軸方向に沿った一端が第１の接続部１０１に接続され、ＰＣ鋼材の軸方向に沿った他端が第２の接続部２０１に接続され、第１の接続部１０１から第２の接続部２０１までの軸方向に沿った長さを調整する調整部３０１とを含む。
【００３９】
この調整部３０１は、軸方向がそれ自体の他の方向よりも長い外装部材（ここでは２枚の外装プレート３４）と、軸方向がそれ自体の他の方向よりも長く、外装部材に覆われるように設けられ、外装部材により覆われる長さを変更することにより軸方向の長さが変更される内挿部材（ここでは１枚の内挿プレート３３）と、外装部材に覆われた内挿部材を固定する固定部（ここではピンＰ（３））とを含む。
【００４０】
さらに詳しく接続具１１について説明する。なお、以下においてピンＰで接続するとは強固に接続されて一体化されることを意味する。
第１の接続部１０１は、上述した接続具１０における第１の接続部１００の第１のプラグ１５０の代わりに第１のプラグ１５１を備える。その他のスリーブ１１０、ウェッジ（くさび）１４０、ウェッジ押さえ１２０およびスプリング１３０を備え、これらによりＰＣ鋼材３０を押圧嵌合する。なお、スリーブ１１０の雌ネジ１１２と螺合するために第１のプラグ１５０が備える雄ネジ１５２を、この第１の接続部１０１における第１のプラグ１５１も備えるが、この第１のプラグ１５１は第１のプラグ１５０が備える（中実ＰＣ鋼棒３３０の雄ネジ３３６と螺合する）雌ネジ１５６を備えず、図示しないが第１の接続プレート１５を固着する部位（たとえばネジ部）を備える。
【００４１】
第２の接続部２０１は、上述した接続具１０における第２の接続部２００の第２のプラグ２５０の代わりに第２のプラグ２５１を備える。その他のスリーブ２１０、ウェッジ（くさび）２４０、ウェッジ押さえ２２０およびスプリング２３０を備え、これらによりＰＣ鋼材２０を押圧嵌合する。なお、スリーブ２１０の雌ネジ２１２と螺合するために第２のプラグ２５０が備える雄ネジ２５２を、この第２の接続部２０１における第２のプラグ２５１も備えるが、この第２のプラグ２５１は第２のプラグ２５０が備える（中空ＰＣ鋼棒３４０の雄ネジ３４６と螺合する）雌ネジ２５６を備えず、図示しないが第２の接続プレート２５を固着する部位（たとえばネジ部）を備える。
【００４２】
内挿プレート３３および外装プレート３４は、ともに軸方向に長く厚さが薄い平面形状を備え、２以上の複数の穴Ｈを備える。なお、内挿プレート３３および外装プレート３４は基本的には長さ以外は同じである（長さも同じであっても構わないが２枚の外装プレート３４の長さならびに穴の位置および穴の大きさは同じ）。
第１の接続部１０１においては、第１のプラグ１５１に第１の接続プレート１５が（螺合等で）固着されている。この第１の接続プレート１５は、内挿プレート３３または外装プレート３４と同じく軸方向に長く厚さが薄い平面形状を備えるが、穴Ｈは１つ以上備えるものであれば構わない。そして、２枚の第１の接続プレート１５により１枚の内挿プレート３３を挟み込んで、ピンＰ（１）で接続している。
【００４３】
第２の接続部２０１においては、第２のプラグ２５１に第２の接続プレート２５が（螺合等で）固着されている。この第２の接続プレート２５も第１の接続プレート１５と同様に、内挿プレート３３または外装プレート３４と同じく軸方向に長く厚さが薄い平面形状を備えるが、穴Ｈは１つ以上備えるものであれば構わない。そして、２枚の外装プレート３４により１枚の第２の接続プレート２５を挟み込んで、ピンＰ（２）で接続している。
【００４４】
そして、２枚の外装プレート３４により１枚の内挿プレート３３を挟み込んで、調整部３０１における固定部であるピンＰ（３）により接続している。この場合において、外装プレート３４および内挿プレート３３には複数の穴Ｈが設けられているので、ピンＰ（３）を一旦抜いてこの位置を変更することにより、より詳しくは内挿部材である内挿プレート３３が外装部材である外装プレート３４により覆われる長さを変更することにより、軸方向の長さが変更され、その後ピンＰ（３）を再度挿入して内挿プレート３３と外装プレート３４とを接続する。これにより、この接続具１１は、第１の接続部１０１から第２の接続部２０１までの軸方向に沿った長さを調整することができる。
【００４５】
なお、上述した接続具１１においては、プレテンション方式においてコンクリート部材にプレストレスを導入するＰＣ鋼材に求められる最大緊張荷重を含む全ての諸元（スペック）を満足している。
以上のようにして、本変形例に係る接続具によっても上述した実施の形態と同様に、プレテンション方式においてコンクリート部材にプレストレスを導入する場合において、コンクリート部材の生産性を低下させることがなく、かつ、余長部の歩留りを悪化させることがない。
【００４６】
＜第２の変形例＞
以下において、本発明の実施の形態の第２の変形例に係る接続具１３について説明する。なお、本変形例に係る接続具１３は、上述した実施の形態に係る接続具１０における固定部である第１の中間プラグ３１０および第２の中間プラグ３２０を備えず、外装部材である中空ＰＣ鋼棒３４０の代わりに外装部材としての中空ＰＣ鋼棒４４０および内挿部材である中実ＰＣ鋼棒３３０の代わりに内挿部材としての中実ＰＣ鋼棒４３０を備える。それ以外は（たとえば第１の接続部、第２の接続部、作用効果）第１の実施の形態と同じであるので、上述した説明と重複する部分についてはここでは繰り返さない場合がある。
【００４７】
図６（Ａ）に図２（Ａ）に対応するこの接続具１３の外観図を、図６（Ｂ）に図２（Ｂ）に対応するこの接続具１３の半断面図を、図６（Ｃ）に図３（Ｂ）に対応するこの接続具１３の調整部４００の分解図を、それぞれ示す。図６（Ｂ）および図６（Ｃ）は、半断面図（上半分断面図、下半分外観図）である。
この図６に示すように、接続具１３は接続具１０および接続具１１と同様に、ＰＣ鋼材どうしを接続する。この接続具１３は、図６（Ａ）〜図６（Ｃ）に示すように、第１のＰＣ鋼材３０が接続される第１の接続部１００と、第２のＰＣ鋼材２０が接続される第２の接続部２００と、ＰＣ鋼材の軸方向に沿った一端が第１の接続部１００に接続され、ＰＣ鋼材の軸方向に沿った他端が第２の接続部２００に接続され、第１の接続部１００から第２の接続部２００までの軸方向に沿った長さを調整する調整部４００とを含む。
【００４８】
また、この調整部４００は、軸方向がそれ自体の他の方向よりも長い外装部材（ここでは中空ＰＣ鋼棒４４０）と、軸方向がそれ自体の他の方向よりも長く、外装部材に挿入され、外装部材へ挿入される長さを変更することにより軸方向の長さが変更される内挿部材（ここでは中実ＰＣ鋼棒４３０）と、外装部材に挿入された内挿部材を固定する固定部（ここでは中実ＰＣ鋼棒４３０の雄ネジ４３６および中空ＰＣ鋼棒４４０の雌ネジ４４６）とを含む。
【００４９】
さらに詳しくは、外装部材である中空ＰＣ鋼棒４４０は、内挿部材側の端部の内周に雌ネジ４４６を備えた中空ＰＣ鋼材であって、内挿部材である中実ＰＣ鋼棒４３０は、少なくとも外装部材側の外周に雄ネジ４３６を備えたＰＣ鋼材である。そして、固定部は、外装部材の雌ネジ４４６と内挿部材の雄ネジ４３６とが螺合することにより固定される。ここでは、内挿部材である中実ＰＣ鋼棒４３０は、その外周全長にわたって雄ネジ４３６を備え、外装部材である中空ＰＣ鋼棒４４０は、その内周全長にわたって雌ネジ４４６を備えるが、いずれも全長にわたってネジを設ける必要はないが、中実ＰＣ鋼棒４３０については少なくともその両端部に、中空ＰＣ鋼棒４４０については少なくとも中実ＰＣ鋼棒４３０側の端部の内周および第２の接続部２００側の外周に、ネジを設ける必要がある。
【００５０】
さらに詳しく接続具１３について説明する。なお、第１の接続部１００の全ておよび第２の接続部２００の全ては、上述した実施の形態に係る接続具１０と同じであるため、ここでの詳細な説明は繰り返さない。
内挿部材である中実ＰＣ鋼棒４３０の外周全長にわたって設けられる雄ネジ４３６は、第１のプラグ１５０の調整部４００側に設けられた雌ネジ１５６および中空ＰＣ鋼棒４４０の内周全長にわたって設けられた雌ネジ４４６と螺合する。なお、雄ネジ４３６を第１のプラグ１５０側と中空ＰＣ鋼棒４４０側とで別のネジ規格としても構わない。
【００５１】
外装部材である中空ＰＣ鋼棒４４０の内周全長にわたって設けられる雌ネジ４４６は、中実ＰＣ鋼棒４３０の外周全長にわたって設けられる雄ネジ４３６と螺合する。また、外装部材である中空ＰＣ鋼棒４４０の第２の接続部２００側の外周にわたって設けられる雄ネジ４４２は、第２のプラグ２５０の調整部４００側に設けられた雌ネジ２５６と螺合する。
【００５２】
そして、調整部４００における固定部である中実ＰＣ鋼棒４３０の雄ネジ４３６および中空ＰＣ鋼棒４４０の雌ネジ４４６により、中実ＰＣ鋼棒４３０と中空ＰＣ鋼棒４４０とが螺合されて接続されている。このような状態において、調整部３００において、内挿部材としての中実ＰＣ鋼棒４３０を外装部材として中空ＰＣ鋼棒４４０への挿入長さを変更することにより、接続具１３における第１の接続部１００から第２の接続部２００までの軸方向に沿った長さを調整する。より具体的には、互いに螺合している、内挿部材である中実ＰＣ鋼棒４３０の雄ネジ４３６と外装部材である中空ＰＣ鋼棒４４０の雌ネジ４４６との螺合状態を維持したままで、たとえば、図６の白抜き矢示の方向に中実ＰＣ鋼棒４３０が進行するように、中実ＰＣ鋼棒４３０を回転（自転）させる。基本的には右ねじであることが多いために、時計方向に中実ＰＣ鋼棒４３０を回転（自転）させることにより、図６の白抜き矢示の方向に中実ＰＣ鋼棒４３０が進行して、接続具１３における第１の接続部１００から第２の接続部２００までの軸方向に沿った長さが短くなり、反時計方向に中実ＰＣ鋼棒４３０を回転（自転）させることにより、図６の黒塗り矢示の方向に中実ＰＣ鋼棒４３０が進行して、接続具１３における第１の接続部１００から第２の接続部２００までの軸方向に沿った長さが長くなる。
【００５３】
なお、上述した接続具１３においては、プレテンション方式においてコンクリート部材にプレストレスを導入するＰＣ鋼材に求められる最大緊張荷重を含む全ての諸元（スペック）を満足している。また、中実ＰＣ鋼棒４３０の代わりに図４に示す異形ＰＣ鋼棒３３３を用いる点およびこの異形ＰＣ鋼棒３３３の節と螺合するように外装部材である中空ＰＣ鋼棒４４０の雌ネジ４４６を設ける点については、上述した実施の形態と同じである。
【００５４】
以上のようにして、本変形例に係る接続具によっても上述した実施の形態と同様に、プレテンション方式においてコンクリート部材にプレストレスを導入する場合において、コンクリート部材の生産性を低下させることがなく、かつ、余長部の歩留りを悪化させることがない。
【００５５】
＜第３の変形例＞
以下において、本発明の実施の形態の第３の変形例に係る接続具１５について説明する。なお、本変形例に係る接続具１５は、上述した実施の形態に係る接続具１０における調整部の外装部材、内挿部材および固定部の形状が異なる。それ以外は（たとえば第１の接続部、第２の接続部、作用効果）第１の実施の形態と同じであるので、上述した説明と重複する部分についてはここでは繰り返さない場合がある。
【００５６】
図７（Ａ）および図７（Ｂ）にこの接続具１５の外観図（図１（Ａ）と同じ方向から見た図）を、図７（Ｃ）にこの接続具１５の調整部３０５を構成する接続ブロックおよびナット（ならびに異形ＰＣ鋼棒）の外観図を、図７（Ｄ）は図７（Ｃ）の断面図（図７（Ｄ）において異形ＰＣ鋼棒３３３は外観図）を、それぞれ示す。なお、図７（Ｃ）および図７（Ｄ）に示す、調整部３０５を構成する接続ブロック３０７およびナットＮは、図７（Ａ）および図７（Ｂ）に示すように軸方向について逆になるように設けられている。
【００５７】
この図７に示すように、接続具１５は接続具１０と同様に、ＰＣ鋼材どうしを接続する。この接続具１５は、図７（Ａ）〜図７（Ｄ）に示すように、第１のＰＣ鋼材３０が接続される第１の接続部１０５と、第２のＰＣ鋼材２０が接続される第２の接続部２０５と、ＰＣ鋼材の軸方向に沿った一端が第１の接続部１０５に接続され、ＰＣ鋼材の軸方向に沿った他端が第２の接続部２０５に接続され、第１の接続部１０５から第２の接続部２０５までの軸方向に沿った長さを調整する調整部３０５とを含む。
【００５８】
この調整部３０５は、軸方向がそれ自体の他の方向よりも長い外装部材（ここでは２本の図４に示す異形ＰＣ鋼棒３３３）と、軸方向がそれ自体の他の方向よりも長く、外装部材に覆われるように設けられ、外装部材により覆われる長さを変更することにより軸方向の長さが変更される内挿部材（ここでは１本の異形ＰＣ鋼棒３３３）と、外装部材に覆われた内挿部材を固定する固定部（ここでは接続ブロック３０７およびナットＮ）とを含む。なお、外装部材および内挿部材は、異形ＰＣ鋼棒に限定されるものではない。
【００５９】
さらに詳しく接続具１５について説明する。
第１の接続部１０５は、上述した接続具１０における第１の接続部１００の第１のプラグ１５０の代わりに第１のプラグ１５５を備える。その他のスリーブ１１０、ウェッジ（くさび）１４０、ウェッジ押さえ１２０およびスプリング１３０を備え、これらによりＰＣ鋼材３０を押圧嵌合する。なお、スリーブ１１０の雌ネジ１１２と螺合するために第１のプラグ１５０が備える雄ネジ１５２を、この第１の接続部１０５における第１のプラグ１５５も備えるが、この第１のプラグ１５５は第１のプラグ１５０が備える（中実ＰＣ鋼棒３３０の雄ネジ３３６と螺合する）雌ネジ１５６を備えず、図示しないが内挿部材である１本の異形ＰＣ鋼棒３３３を固着する部位（たとえば異形ＰＣ鋼棒と螺合可能な雌ネジ部）を備える。
【００６０】
第２の接続部２０５は、上述した接続具１０における第２の接続部２００の第２のプラグ２５０の代わりに第２のプラグ２５５を備える。その他のスリーブ２１０、ウェッジ（くさび）２４０、ウェッジ押さえ２２０およびスプリング２３０を備え、これらによりＰＣ鋼材２０を押圧嵌合する。なお、スリーブ２１０の雌ネジ２１２と螺合するために第２のプラグ２５０が備える雄ネジ２５２を、この第２の接続部２０５における第２のプラグ２５５も備えるが、この第２のプラグ２５５は第２のプラグ２５０が備える（中空ＰＣ鋼棒３４０の雄ネジ３４６と螺合する）雌ネジ２５６を備えず、図示しないが内挿部材である１本の異形ＰＣ鋼棒３３３を固着する部位（たとえば異形ＰＣ鋼棒と螺合可能な雌ネジ部）を備える。
【００６１】
図７（Ｃ）および図７（Ｄ）を参照して、外装部材（２本の異形ＰＣ鋼棒３３３）に覆われた内挿部材（１本の異形ＰＣ鋼棒３３３）を固定する固定部を構成する接続ブロック３０７について詳しく説明する。なお、固定部を構成するナットＮは、異形ＰＣ鋼棒と螺合可能な六角ナット等である。
この接続ブロック３０７は、金属製の立体（たとえば直方体等の６面体）であって、外装部材である２本の異形ＰＣ鋼棒３３３がそれぞれ挿入される２つの穴３０７Ｈ１（雌ネジなし）と、内挿部材である１本の異形ＰＣ鋼棒３３３が挿入される穴３０７Ｈ２（雌ネジあり）とを備える。穴３０７Ｈ１はこの接続ブロック３０７を軸方向に貫通している。穴３０７Ｈ２はこの接続ブロック３０７を軸方向に必ずしも貫通する必要はない。穴３０７Ｈ２が備える雌ネジは、異形ＰＣ鋼棒３３３（さらに詳しくは内挿部材である１本の異形ＰＣ鋼棒３３３）と螺合可能なネジ形状を備える。
【００６２】
外装部材である２本の異形ＰＣ鋼棒３３３を接続ブロック３０７のそれぞれの穴３０７Ｈ１を貫通させてナットＮと螺合させる。内挿部材である１本の異形ＰＣ鋼棒３３３を接続ブロック３０７の穴３０７Ｈ２の雌ネジに螺合させて、内挿部材である１本の異形ＰＣ鋼棒３３３と接続ブロック３０７とを一体化する。
そして、調整部３０５において、内挿部材としての１本の異形ＰＣ鋼棒３３３を外装部材としての異形ＰＣ鋼棒３３３により覆われる長さを変更することにより、接続具１５における第１の接続部１０５から第２の接続部２０５までの軸方向に沿った長さを調整する。より具体的には、固定部を構成するナットＮを軸方向に移動させて（螺合状態を維持して外装部材としての異形ＰＣ鋼棒３３３に螺合しているナットＮを自転させて）、少なくとも一方の接続ブロック３０７（図７（Ａ）および図７（Ｂ）では双方の接続ブロック３０７）における２本の異形ＰＣ鋼棒が穴３０７Ｈ１を摺動可能な状態として、たとえば、図７の白抜き矢示の方向に２本の異形ＰＣ鋼棒３３３を移動させる。図７の白抜き矢示の方向に２本の異形ＰＣ鋼棒３３３を移動させると、接続具１５における第１の接続部１０５から第２の接続部２０５までの軸方向に沿った長さが短くなり（図７（Ａ）に示す状態から図７（Ｂ）に示す状態に遷移）、黒塗り矢示の方向に２本の異形ＰＣ鋼棒を移動させると、接続具１５における第１の接続部１００から第２の接続部２００までの軸方向に沿った長さが長くなる（図７（Ｂ）に示す状態から図７（Ａ）に示す状態に遷移）。なお、外装部材としての２本の異形ＰＣ鋼棒３３３の接続ブロック３０７間の長さは一致していなければならないことは言うまでもない。
【００６３】
なお、上述した接続具１５においては、プレテンション方式においてコンクリート部材にプレストレスを導入するＰＣ鋼材に求められる最大緊張荷重を含む全ての諸元（スペック）を満足している。
以上のようにして、本変形例に係る接続具によっても上述した実施の形態と同様に、プレテンション方式においてコンクリート部材にプレストレスを導入する場合において、コンクリート部材の生産性を低下させることがなく、かつ、余長部の歩留りを悪化させることがない。特に、異形ＰＣ鋼棒を使用する場合には市販の異形ＰＣ鋼棒を使える点、接続ブロックの構造が簡単である点、ナットＮを移動させるだけで接続具１５における第１の接続部１０５から第２の接続部２０５までの軸方向に沿った長さが変更できるので操作が容易である点、で好ましい。
【００６４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６５】
本発明は、プレテンション方式においてコンクリート部材にプレストレスを導入する場合の接続具に好ましく、コンクリート部材の生産性を低下させることがなく、かつ、余長部の歩留りを悪化させることがない点で特に好ましい。
【符号の説明】
【００６６】
１０、１１、１３、１５        接続具
１００、１０１、１０５          第１の接続部
２００、２０１、２０５          第２の接続部
３００、３０１、３０５、４００  調整部
【図１】
2020176374.tif 000003
【図２】
2020176374.tif 000004
【図３】
2020176374.tif 000005
【図４】
2020176374.tif 000006
【図５】
2020176374.tif 000007
【図６】
2020176374.tif 000008
【図７】
2020176374.tif 000009